(57)【要約】  情報処理装置は、検出センサを搭載した本体部と、本体部に物理的な構造で着脱可能なディスプレイなどの電子機器とを有する。例えば、情報処理装置は、検出センサを用いてスリープ状態の本体部を復帰させる場合、電子機器が物理的な構造で本体部に接続されているかを判定する。そして、情報処理装置は、接続されていると判定された場合に、検出センサの出力を有効にし、接続されていないと判定された場合に、検出センサの出力を無効にする。
2015114818.tif 000002
【特許請求の範囲】
【請求項１】
検出センサを搭載した本体部と、前記本体部に物理的な構造で着脱可能な電子機器とを有する情報処理装置において、
前記電子機器が前記物理的な構造で前記本体部に接続されているかを判定する判定部と、
前記判定部によって接続されていると判定された場合に、前記検出センサの出力を有効にし、前記判定部によって接続されていないと判定された場合に、前記検出センサの出力を無効にする出力制御部と
を有することを特徴とする情報処理装置。
【請求項２】
前記電子機器は、前記電子機器周辺の照度を検出する照度センサを搭載し、
前記本体部は、前記判定部によって接続されていると判定された際に、前記照度センサが検出した照度値が所定値未満の場合には、前記情報処理装置の動作開始を抑制することを特徴とする請求項１に記載の情報処理装置。
【請求項３】
前記本体部は、前記検出センサの出力が有効になってから所定時間継続的に前記検出センサによって人が検知された場合に、前記情報処理装置の動作を開始させることを特徴とする請求項１に記載の情報処理装置。
【請求項４】
前記検出センサは、前記本体部が設置される水平面より上方向を検出対象とすることを特徴とする請求項１に記載の情報処理装置。
【請求項５】
前記検出センサは、熱源を検知する焦電型赤外線センサ、または、物体を検知する近接センサであることを特徴とする請求項１に記載の情報処理装置。
【請求項６】
検出センサを搭載した本体部と、前記本体部に物理的な構造で着脱可能な電子機器とを有する情報処理装置に、
前記電子機器が前記物理的な構造で前記本体部に接続されているかを判定し
接続されていると判定された場合に、前記検出センサの出力を有効にし、接続されていないと判定された場合に、前記検出センサの出力を無効にする
処理を実行させることを特徴とするセンサ出力制御プログラム。
【発明の詳細な説明】
【技術分野】
【０００１】
本発明は、情報処理装置およびセンサ出力制御プログラムに関する。
【背景技術】
【０００２】
従来から、焦電型赤外線センサを搭載した電子機器が知られている。焦電型赤外線センサは、温度変化によって誘電体の分極が変化する現象を捉えて、熱源と背景の赤外線の放射量の差を検知する。電子機器は、この焦電型赤外線センサの特長を利用して、人を検知して自動的に動作を開始する。【０００３】
このような焦電型赤外線センサを搭載する電子機器の例としては、テレビ、エアコン、照明機器などが挙げられる。例えば、テレビは、消費電力を削減するために、ユーザがテレビ番組を視聴中に席を外したことを検知して表示画面をオフにする。また、照明機器は、防犯対策のために、熱源を検知すると照明を点灯させる。【０００４】
近年では、焦電型赤外線センサが閾値を超える絶対温度を一定時間継続して検知した場合に人体有りと判断し、室内温度が高い場合には閾値を通常時よりも高い値に設定することで、誤動作を防止する技術が知られている。【０００５】
また、人の動きを検出する焦電型赤外線センサと人の存在を検出する反射型センサを用いて操作者を検出すると、画像処理装置をスリープモードから動作モードに移行する技術が知られている。また、赤外線センサの検出視野の上方部を検出対象とし、表示器の前方に人がいない状態が所定時間続いた場合に、表示器の表示をオフにする技術が知られている。
【先行技術文献】
【特許文献】
【０００６】
【特許文献１】特開２０１３−６４５９４号公報
【特許文献２】特開２０１３−２９８３９号公報
【特許文献３】特開平１１−２３１８５１号公報
【発明の概要】
【発明が解決しようとする課題】
【０００７】
しかしながら、上記技術では、焦電型赤外線センサなどの検出センサを搭載する電子機器の誤動作が多い。例えば、デスクトップパソコンをマウス等でシャットダウンした後のユーザの離席動作を検出センサが検出し、デスクトップパソコンが再度起動することがある。【０００８】
また、本体とディスプレイとが着脱可能なパソコンは、ディスプレイがドックアウトされて未使用状態にある場合でも、本体に搭載される検出センサが人や動物を検出すると、パソコン本体を起動する。この場合、ディスプレイの電源もＯＮになり、ディスプレイが布団の上などにある場合は、熱がこもって発熱の危険性が高まる。【０００９】
開示の技術は、上記に鑑みてなされたものであって、誤動作を削減することができる情報処理装置およびセンサ出力制御プログラムを提供することを目的とする。
【課題を解決するための手段】
【００１０】
本願の開示する情報処理装置およびセンサ出力制御プログラムは、一つの態様において、検出センサを搭載した本体部と、前記本体部に物理的な構造で着脱可能な電子機器とを有する。情報処理装置は、前記電子機器が前記物理的な構造で前記本体部に接続されているかを判定する判定部を有する。情報処理装置は、前記判定部によって接続されていると判定された場合に、前記検出センサの出力を有効にし、前記判定部によって接続されていないと判定された場合に、前記検出センサの出力を無効にする出力制御部を有する。
【発明の効果】
【００１１】
本願の開示する情報処理装置およびセンサ出力制御プログラムは、誤動作を削減することができる。
【図面の簡単な説明】
【００１２】
【図１】図１は、情報処理装置の全体構成例を示す図である。
【図２】図２は、情報処理装置の構成を示すブロック図である。
【図３】図３は、焦電型赤外線センサの出力電圧の変化を説明する図である。
【図４】図４は、焦電型赤外線センサによる本体起動処理の全体的な流れを示すフローチャートである。
【図５】図５は、本体起動処理における人検知までの処理の流れを示すフローチャートである。
【図６】図６は、検知領域を説明する図である。
【発明を実施するための形態】
【００１３】
以下に、本発明にかかる情報処理装置およびセンサ出力制御プログラムの実施例を図面に基づいて詳細に説明する。なお、この実施例によりこの発明が限定されるものではない。
【実施例１】
【００１４】
［全体構成］
図１は、情報処理装置の全体構成例を示す図である。図１に示すように、情報処理装置１は、マウス２、キーボード３、本体部１０、着脱式ディスプレイ２０など電子機器を有する。本体部１０と着脱式ディスプレイ２０とは、物理的なドッキング構造で着脱可能に構成される。マウス２やキーボード３は、ユーザから入力操作を受け付ける入力装置の一例である。【００１５】
本体部１０は、メモリやプロセッサを有し、各種処理を実行する処理部である。また、本体部１０は、熱源を検知する焦電型赤外線センサ１２を有する。焦電型赤外線センサ１２は、温度変化によって誘電体の分極が変化する現象を捉えて、熱源と背景の赤外線の放射量の差を利用して、人の検知に利用されるセンサである。【００１６】
着脱式ディスプレイ２０は、本体部１０に着脱可能なタッチパネル式のディスプレイであり、照度センサ２１を有する。照度センサ２１は、着脱式ディスプレイ２０周辺の照度を検出するセンサである。【００１７】
また、各電子機器は、無線通信機能を有している。したがって、マウス２やキーボード３で操作された情報は、無線通信によって本体部１０に受信され、本体部１０は、マウス２等から受け付けた操作を実行する。【００１８】
また、着脱式ディスプレイ２０は、タッチパネル上で受け付けた情報を無線通信で本体部１０に送信する。そして、本体部１０は、着脱式ディスプレイ２０から受信した情報に対応する操作を実行して着脱式ディスプレイ２０に送信する。その後、着脱式ディスプレイ２０は、本体部１０から受信した情報を表示させる。【００１９】
このような情報処理装置１の本体部１０は、着脱式ディスプレイ２０が物理的な構造で本体部１０に接続されているかを判定する。そして、本体部１０は、接続されていると判定された場合に、焦電型赤外線センサ１２の出力を有効にし、接続されていないと判定された場合に、焦電型赤外線センサ１２の出力を無効にする。【００２０】
例えば、本体部１０は、ＯＳ（オペレーティングシステム）をスタンバイ中に遷移させた後、焦電型赤外線センサ１２によって人を検出されると、電源回路をＯＮにし、ＯＳを復帰させる。この処理を開始する際、本体部１０は、着脱式ディスプレイ２０が本体部１０にドッキングされているかを判定する。そして、本体部１０は、着脱式ディスプレイ２０がドッキングされている場合に、焦電型赤外線センサ１２の出力をＯＮにして、人の検知を開始する。【００２１】
このように、情報処理装置１は、本体部１０に搭載される焦電型赤外線センサ１２でＯＳ等を起動する場合に、着脱式ディスプレイ２０がドッキングされるまで焦電型赤外線センサ１２の出力を無効にするので、誤動作を削減できる。【００２２】
［情報処理装置の構成］
図２は、情報処理装置の構成を示すブロック図である。図２に示すように、情報処理装置１は、本体部１０と着脱式ディスプレイ２０とを有する。なお、ここでは、図１に示したマウス２やキーボード３については、無線機能を有する一般的なマウスやキーボードと同様の機能を有するので、詳細な説明は省略する。【００２３】
本体部１０は、ドックコネクター１１、焦電型赤外線センサ１２、グラウンド１３、論理回路１４、チップセット１５を有する。ドックコネクター１１は、ドッキング構造を持つ本体部１０のコネクタ部である。ドックコネクター１１と着脱式ディスプレイ２０とがドッキングすることで、本体部１０と着脱式ディスプレイ２０とが物理的に接続される。【００２４】
焦電型赤外線センサ１２は、人体の検出に利用されるセンサ部である。この焦電型赤外線センサ１２は、論理回路１４からセンシング開始の指示を受け付けると、赤外線の出力を開始する。そして、焦電型赤外線センサ１２は、出力結果を論理回路１４に随時出力する。グラウンド１３は、電位の基準点であり、例えば電圧０Ｖなどの電位を有する。【００２５】
論理回路１４は、焦電型赤外線センサ１２の出力と着脱式ディスプレイ２０の着脱状態を検出する回路部である。この論理回路１４は、特許請求の範囲に記載の判定部と出力制御部の一例である。【００２６】
具体的には、論理回路１４は、着脱式ディスプレイ２０がドックコネクター１１にドッキングされているかを判定する。また、論理回路１４は、ドッキングされていると判定された場合に、焦電型赤外線センサ１２の出力を有効にし、ドッキングされていないと判定された場合に、焦電型赤外線センサ１２の出力を無効にする。【００２７】
例えば、論理回路１４は、着脱式ディスプレイ２０がドッキングされている場合に、焦電型赤外線センサ１２の出力を有効に制御して、焦電型赤外線センサ１２の検出結果を受信する。そして、論理回路１４は、焦電型赤外線センサ１２の検出結果から人を検知したときに、照度センサ２１が検出した照度値が所定値以上で明るい状態である場合には、チップセット１５にＯＳの起動を指示する。【００２８】
チップセット１５は、ＯＳの起動を制御するコントローラ部であり、タイマ回路１６を有する。具体的には、チップセット１５は、論理回路１４からＯＳの起動指示を受信すると、電源投入を行い、ＯＳの動作を開始させる。【００２９】
このとき、チップセット１５は、論理回路１４からＯＳの起動指示を受信すると、タイマ回路１６を起動させる。そして、チップセット１５は、所定時間継続的に人が検知されると、ＯＳの動作を開始させる。【００３０】
着脱式ディスプレイ２０は、照度センサ２１とマイコン２２とを有するディスプレイであり、請求の範囲に記載の電子機器の一例である。照度センサ２１は、着脱式ディスプレイ２０の照度を検出するセンサであり、検出した照度値をマイコン２２に出力する。【００３１】
マイコン２２は、照度センサ２１の出力を受けてチップセット１５に報告するマイコン部である。例えば、マイコン２２は、照度センサ２１から照度値を受信して、ドックコネクター１１、論理回路１４を介してチップセット１５に出力する。【００３２】
ここで、情報処理装置１内の信号の流れや電圧の変化等について説明する。着脱式ディスプレイ２０がドックコネクター１１にドッキングされると、着脱式ディスプレイ２０内の電圧（ＤＯＣＫ＿ＤＥＴ＃）がグラウンド１３の電圧に引かれるので、ＬＯＷになる。【００３３】
この結果、論理回路１４は、マイコン２２と論理回路１４間の電圧がＬＯＷになるので、着脱式ディスプレイ２０のドッキングを検知する。そして、論理回路１４は、焦電型赤外線センサ１２の出力を有効に制御する。【００３４】
また、マイコン２２は、照度センサ２１の出力が安定し、センシングされた照度値が所定値以上である場合には、着脱式ディスプレイ２０の周辺が明るいと判定して、信号（ＡＭＢ＿Ｈｉｇｈ＝ＨＩＧＨ（周囲の明るさ＝明るい））を論理回路１４に出力する。一方、マイコン２２は、センシングされた照度値が所定値未満である場合には、着脱式ディスプレイ２０の周辺が暗いと判定して、信号（ＡＭＢ＿Ｈｉｇｈ＝ＬＯＷ（周囲の明るさ＝暗い））を論理回路１４に出力する。【００３５】
こうして、論理回路１４は、マイコン２２から信号（ＡＭＢ＿Ｈｉｇｈ＝ＨＩＧＨ）を受信することで、着脱式ディスプレイ２０周辺の照度が高いことを検知する。この状態で、論理回路１４は、焦電型赤外線センサ１２のセンシング結果から人を検知した場合に、チップセット１５にＯＳの動作開始を指示する。【００３６】
［焦電型赤外線センサの出力電圧の変化］
図３は、焦電型赤外線センサの出力電圧の変化を説明する図である。図３のａは平常時であり環境に変化がない状態である。したがって、焦電型赤外線センサ１２の出力電圧は一定となる。【００３７】
図３のｂは赤外線入射直後であり、環境との温度変化を検知した状態であり熱源が近づいたことを検出したところである。したがって、焦電型赤外線センサ１２の出力電圧は大きくなる。論理回路１４は、図３のｂの状態における出力電圧の変化から、人の接近を検出する。【００３８】
図３のｃは安定時であり温度変化を検知した後、温度の変化がなく安定状態となり、焦電型赤外線センサ１２の出力電圧は一定となる。つまり、論理回路１４は、図３のｂの状態から引き続き人を検出し続けている。【００３９】
図３のｄは赤外線遮断直後であり、熱源がセンサエリアを離れた温度変化を捉えた状態である。したがって、焦電型赤外線センサ１２の出力電圧は大きく変化する。論理回路１４は、図３のｄの状態における出力電圧の変化から、図３のｂの状態で検出した人が離れたことを検出する。図３のｅは図３のａと同じ状態に戻った状態である。【００４０】
［全体的な処理の流れ］
次に、情報処理装置１が実行する処理について説明する。ここでは、一例として、情報処理装置１の着脱式ディスプレイ２０がドックアウトの状態で、ＯＳがスリープモードに遷移した状態から焦電型赤外線センサ１２を用いてＯＳを復帰させる場合を説明する。言い換えると、焦電型赤外線センサ１２によって人が検出された場合に、スリープ状態にある本体部１０を起動する処理について説明する。【００４１】
図４は、焦電型赤外線センサによる本体起動処理の全体的な流れを示すフローチャートである。図４に示すように、本体部１０のチップセット１５が焦電型赤外線センサ１２による起動を開始する場合（Ｓ１０１：Ｙｅｓ）、本体部１０の論理回路１４は、着脱式ディスプレイ２０がドッキング状態か否かを判定する（Ｓ１０２）。例えば、チップセット１５は、スリープモードから所定時間経過後に、自動で本処理を開始する。【００４２】
続いて、論理回路１４は、着脱式ディスプレイ２０がドッキング状態であると判定した場合（Ｓ１０２：Ｙｅｓ）、焦電型赤外線センサ１２の出力を有効にする（Ｓ１０３）。すなわち、論理回路１４は、焦電型赤外線センサ１２の出力を有効に制御する。【００４３】
そして、論理回路１４は、着脱式ディスプレイ２０の照度センサ２１が検出した照度値が閾値以上か否かを判定する（Ｓ１０４）。なお、Ｓ１０３とＳ１０４の処理は、どちらを先に実行してもよい。【００４４】
その後、論理回路１４は、照度センサ２１が検出した照度値が閾値以上である状態で（Ｓ１０４：Ｙｅｓ）、焦電型赤外線センサ１２の出力電圧の変化から人を検知すると（Ｓ１０５：Ｙｅｓ）、タイマ回路１６のタイマを起動する（Ｓ１０６）。【００４５】
そして、論理回路１４によって一定時間継続的に人が検知されていると判定された場合（Ｓ１０７：Ｙｅｓ）、チップセット１５は、電源回路をＯＮにし、ＯＳを復帰させる（Ｓ１０８）。なお、Ｓ１０７において、論理回路１４は、継続的に人を検知しない場合（Ｓ１０７：Ｎｏ）、Ｓ１０５以降を繰り返す。【００４６】
また、Ｓ１０４において、論理回路１４は、照度センサ２１が検出した照度値が閾値未満である状態で（Ｓ１０４：Ｎｏ）、Ｓ１０１に戻って以降の処理を繰り返す。同様に、Ｓ１０２において、論理回路１４は、着脱式ディスプレイ２０がドッキング状態ではないと判定した場合（Ｓ１０２：Ｎｏ）、Ｓ１０１に戻って以降の処理を繰り返す。【００４７】
［照度センサから人検出までの流れ］
図５は、本体起動処理における人検知までの処理の流れを示すフローチャートである。図５に示すように、着脱式ディスプレイ２０のマイコン２２は、処理が開始されると、照度センサを初期化する（Ｓ２０１）。【００４８】
続いて、マイコン２２は、タイマを例えば１５０ｍｓにセットしてタイマを起動し（Ｓ２０２）、１５０ｍｓ経過すると（Ｓ２０３：Ｙｅｓ）、照度値を読み込む（Ｓ２０４）。すなわち、マイコン２２は、照度センサ２１が検出した照度データを、照度センサ２１から取得する。【００４９】
その後、マイコン２２は、照度値をＬＵＸ値に変換し（Ｓ２０５）、照度が安定したか否かを判定する（Ｓ２０６）。例えば、マイコン２２は、ＡＬＳ（Ambient  Light  Sensing）のカウンタが閾値（６×（１５０×６＝９００ｍｓ））を超えた否かを判定する。【００５０】
そして、マイコン２２は、照度が安定したと判定すると（Ｓ２０６：Ｙｅｓ）、照度に応じて、着脱式ディスプレイ２０のバックグラウンドの明るさに対して、自動輝度制御を実行する（Ｓ２０７）。例えば、マイコン２２は、着脱式ディスプレイ２０の明るさを、室内の明るさに応じた適切な明るさに制御する。【００５１】
その後、マイコン２２は、信号（ＡＭＢ＿ＨＩＧＨ）に「ＬＯＷ」を設定し（Ｓ２０８）、着脱式ディスプレイ２０がドッキング中か否かを判定する（Ｓ２０９）。例えば、マイコン２２は、マイコン２２が接続される信号線の電圧がＬＯＷになったか否かを判定する。【００５２】
そして、マイコン２２は、ドッキング中と判定した場合（Ｓ２０９：Ｙｅｓ）、タイマカウンタが１０秒を経過しているかを判定する（Ｓ２１０）。【００５３】
マイコン２２は、タイマカウンタが１０秒を経過している場合（Ｓ２１０：Ｙｅｓ）、それまでに取得されたＬＵＸ値の合計が最新のＬＵＸ値の２倍以上である場合（Ｓ２１１）、信号（ＡＭＢ＿ＨＩＧＨ）に「ＨＩＧＨ」を設定する（Ｓ２１２）。【００５４】
そして、マイコン２２が信号（ＡＭＢ＿ＨＩＧＨ＝ＨＩＧＨ）を論理回路１４に送信し、論理回路１４は、焦電型赤外線センサ１２による人検知処理を開始する（Ｓ２１３）。【００５５】
一方、マイコン２２は、タイマカウンタが１０秒未満で（Ｓ２１０：Ｎｏ）、タイマカウンタが「ＳＴＡＲＴ」ではない場合（Ｓ２１４：Ｎｏ）、タイマをスタートさせる（Ｓ２１５）。【００５６】
また、マイコン２２は、タイマカウンタが１０秒未満で（Ｓ２１０：Ｎｏ）、タイマカウンタが「ＳＴＡＲＴ」である場合（Ｓ２１４：Ｙｅｓ）、タイマをカウントアップさせる（Ｓ２１６）。【００５７】
そして、マイコン２２は、Ｓ２１５またはＳ２１６を実行した後、信号（ＡＭＢ＿ＨＩＧＨ）に「ＬＯＷ」を設定し（Ｓ２１７）、Ｓ２０２以降を繰り返す。また、Ｓ２０９において、マイコン２２は、ドッキング中ではないと判定した場合（Ｓ２０９：Ｎｏ）、タイマをストップしてクリアし（Ｓ２１８）、信号（ＡＭＢ＿ＨＩＧＨ）に「ＬＯＷ」を設定し（Ｓ２１７）、Ｓ２０２以降を繰り返す。【００５８】
［効果］
上述したように、情報処理装置１は、本体部１０と着脱式ディスプレイ２０とを有し、ドッキング状態を判別する際に、環境の明るさから動作可能な状態かを検出することができる照度センサを搭載することにより誤動作を防ぐことができる。【００５９】
また、情報処理装置１は、焦電型赤外線センサ１２とタイマ回路１６を組み合わせることにより、人体を検知して数秒以内に人体を検知しなくなった場合は装置を起動してほしいときではなく、単に人が通り過ぎたと判断し動作させないように制御することができる。【００６０】
また、情報処理装置１は、人体を検知して数秒以内に人体を検知しなくなる信号を受信しない場合は、装置の前に人がいて装置を起動してほしいときであると判断して、装置またはＯＳを動作させるように制御することができる。【００６１】
このように、情報処理装置１は、人が装置を使用したいときを正確に判断し、そのときだけ装置を起動するので、誤動作を防止できる。また、誤動作を防止できるので、消費電力の削減にも繋がる。さらに、情報処理装置１は、現状の構成を流用して誤動作を防止できるので、安価な回路で実現することができる。【００６２】
例えば、情報処理装置１は、着脱式ディスプレイ２０がドックアウトした状態で使用していない場合、本体部１０に搭載されている焦電型赤外線センサ１２が人感を検出することを抑制できる。このため、着脱式ディスプレイ２０のバッテリの消耗を抑制でき、着脱式ディスプレイ２０の自動起動による発熱にて熱暴走するといった誤動作を抑制できる。【００６３】
また、情報処理装置１は、就寝時の暗い環境にて焦電型赤外線センサ１２が寝返りやペットによる熱源を検出することを抑制でき、電力の浪費を抑制できる。また、情報処理装置１は、通常のデスクトップパソコンの使い方でパソコンをスリープやシャットダウンなどを行って離席するときの離席動作の検出を抑制できる。
【実施例２】
【００６４】
さて、これまで本発明の実施例について説明したが、本発明は上述した実施例以外にも、種々の異なる形態にて実施されてよいものである。【００６５】
［焦電型赤外線センサの検出領域］
例えば、本体部１０に搭載される焦電型赤外線センサ１２の出力領域を本体部１０が設置される水平面より上方向を検出対象とすることができる。図６は、検知領域を説明する図である。図６に示すように、本体部１０がテーブルの上に置かれている状況で、焦電型赤外線センサ１２の出力範囲は、テーブルより上にくるように制御する。こうすることで、焦電型赤外線センサ１２による検知領域がテーブルより上になるので、ペットの犬や猫の検知を抑制し、就寝中の寝返りを検知することを抑制することができる。【００６６】
［電子機器］
上記実施例では、着脱式ディスプレイ２０がドッキング状態か否かを判定する例を説明したが、これに限定されるものではない。例えば、本体部１０は、ディスプレイ以外の着脱式の電子機器についても同様に判定して、焦電型赤外線センサ１２の出力を制御することができる。【００６７】
また、情報処理装置１は、複数の着脱式の電子機器がそれぞれドッキング状態であるか否かを判定し、全部がドッキング状態の場合または特定の電子機器がドッキング状態の場合に、焦電型赤外線センサ１２の出力を有効にするように制御することもできる。【００６８】
［焦電型赤外線センサ］
上記実施例では、焦電型赤外線センサ１２を用いた例を説明したが、これに限定されるものではなく、物体を検知する近接センサを用いることもできる。近接センサは、非接触センサであり、磁界、電磁波、光、音波などのエネルギーを放出して、反射してくる物質やエネルギーの変化などを捉える。論理回路１４は、近接センサによるエネルギーの変化を用いて、人の接近を検出する。【００６９】
［システム構成等］
また、図示した装置の各構成は、必ずしも物理的に図示の如く構成されていることを要しない。すなわち、任意の単位で分散または統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。【００７０】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。【００７１】
なお、本実施例で説明した情報処理装置１は、センサ出力制御プログラムを読み込んで実行することで、図２等で説明した処理と同様の機能を実行することができる。例えば、情報処理装置１は、論理回路１４の判定処理やチップセット１５のＯＳ起動処理などを実行するプロセスを実行することで、上記実施例と同様の処理を実行することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することができる。
【符号の説明】
【００７２】
１  情報処理装置
１０  本体部
１１  ドックコネクター
１２  焦電型赤外線センサ
１３  グラウンド
１４  論理回路
１５  チップセット
１６  タイマ回路
２０  着脱式ディスプレイ
２１  照度センサ
２２  マイコン
【図１】
2015114818.tif 000003
【図２】
2015114818.tif 000004
【図３】
2015114818.tif 000005
【図４】
2015114818.tif 000006
【図５】
2015114818.tif 000007
【図６】
2015114818.tif 000008
【国際調査報告】
2015114818.tif 000009
2015114818.tif 000010
2015114818.tif 000011
2015114818.tif 000012